(57)【要約】【課題】ユーザーの現在の位置及び嗜好に適した広告を携帯端末に送信することができる広告配信システムを提供する。【解決手段】広告配信システムであって、携帯端末１は、エージェントが作成したユーザーの嗜好プロファイルの全部又は一部をプロファイルサーバ４に送信し、プロファイルサーバ４は、携帯端末１より送信されたユーザーの嗜好プロファイルの全部又は一部を受信して、嗜好プロファイルを更新し、広告配信サーバ７は、データベース５の広告情報を参照して、携帯端末１の位置情報と、プロファイルサーバ４より取得したユーザーの嗜好プロファイルに基づいて、ユーザーの現在の位置及び嗜好に適した広告を決定する。【選択図】図１
2009187176.tif 000002
【特許請求の範囲】
【請求項１】
携帯端末が受信又は送信したメールを解析してユーザーの嗜好プロファイルを作成するエージェントが格納された携帯端末と、前記ユーザーの嗜好プロファイルを格納するプロファイルサーバと、広告情報が格納されたデータベースと、広告を前記携帯端末にネットワークを介して送信する広告配信サーバとを備えた広告配信システムであって、
前記携帯端末は、作成したユーザーの嗜好プロファイルの全部又は一部を前記プロファイルサーバに送信し、
前記プロファイルサーバは、前記携帯端末より送信されたユーザーの嗜好プロファイルの全部又は一部を受信して、嗜好プロファイルを更新し、
前記広告配信サーバは、前記データベースの広告情報を参照して、前記携帯端末の位置情報と、前記プロファイルサーバより取得したユーザーの嗜好プロファイルに基づいて、ユーザーの現在の位置及び嗜好に適した広告を決定する広告配信システム。
【請求項２】
携帯端末と、前記携帯端末が受信又は送信したメールを解析してユーザーの嗜好プロファイルを作成するエージェントが格納されたメール配信サーバと、前記ユーザーの嗜好プロファイルを格納するプロファイルサーバと、広告情報が格納されたデータベースと、広告を前記携帯端末にネットワークを介して送信する広告配信サーバとを備えた広告配信システムであって、
前記メール配信サーバは、作成したユーザーの嗜好プロファイルの全部又は一部を前記プロファイルサーバに送信し、
前記プロファイルサーバは、前記メール配信サーバより送信されたユーザーの嗜好プロファイルの全部又は一部を受信して、嗜好プロファイルを更新し、
前記広告配信サーバは、前記データベースの広告情報を参照して、前記携帯端末の位置情報と、前記プロファイルサーバより取得したユーザーの嗜好プロファイルに基づいて、ユーザーの現在の位置及び嗜好に適した広告を決定する広告配信システム。
【請求項３】
前記エージェントは、前記携帯端末が受信又は送信したメールの題名又は本文を解析して嗜好プロファイルを作成することを特徴とする、請求項１又は請求項２に記載の広告配信システム。
【請求項４】
前記データベースは、位置情報と、広告主の業種キーワードとを関連付けた広告情報が格納されていることを特徴とする、請求項１又は請求項２に記載の広告配信システム。
【請求項５】
前記広告配信システムは、広告コンテンツサーバを備えており、
前記広告配信サーバは、前記データベースの広告情報を参照して広告を決定した後に、前記広告コンテンツサーバを参照して広告コンテンツを取得し、携帯端末に送信することを特徴とする、請求項１又は請求項２又は請求項４に記載の広告配信システム。
【請求項６】
前記データベースは、位置情報ごとに複数備えていることを特徴とする、請求項１又は請求項２又は請求項４又は請求項５に記載の広告配信システム。
【請求項７】
携帯端末の位置情報は、Ｓｅｒｖｉｎｇ  ＧＰＲＳ  Ｓｕｐｐｏｒｔ  Ｎｏｄｅ／Ｍｏｂｉｌｅ  Ｓｗｉｔｃｈｉｎｇ  Ｃｅｎｔｅｒが、Ｒｏｕｔｉｎｇ  ＡｒｅａとＬｏｃａｔｉｏｎ  Ａｒｅａとに基づいて取得し、
前記Ｓｅｒｖｉｎｇ  ＧＰＲＳ  Ｓｕｐｐｏｒｔ  Ｎｏｄｅ／Ｍｏｂｉｌｅ  Ｓｗｉｔｃｈｉｎｇ  Ｃｅｎｔｅｒは、前記広告配信サーバに前記携帯端末の位置情報を送信することを特徴とする、請求項１又は請求項２に記載の広告配信システム。
【請求項８】
携帯端末の位置情報は、Ｓｅｒｖｉｎｇ  ＧＰＲＳ  Ｓｕｐｐｏｒｔ  Ｎｏｄｅ／Ｍｏｂｉｌｅ  Ｓｗｉｔｃｈｉｎｇ  Ｃｅｎｔｅｒが、Ｒｏｕｔｉｎｇ  ＡｒｅａとＬｏｃａｔｉｏｎ  Ａｒｅａとに基づいて取得し、
前記Ｓｅｒｖｉｎｇ  ＧＰＲＳ  Ｓｕｐｐｏｒｔ  Ｎｏｄｅ／Ｍｏｂｉｌｅ  Ｓｗｉｔｃｈｉｎｇ  Ｃｅｎｔｅｒは、Ｈｏｍｅ  Ｌｏｃａｔｉｏｎ  Ｒｅｇｉｓｔｅｒに前記携帯端末の位置情報を送信し、
前記広告配信サーバは、Ｈｏｍｅ  Ｌｏｃａｔｉｏｎ  Ｒｅｇｉｓｔｅｒに対して周期的に前記携帯端末の位置情報に変化がないかを問い合わせ、変化している場合に前記Ｈｏｍｅ  Ｌｏｃａｔｉｏｎ  Ｒｅｇｉｓｔｅｒから携帯端末の位置情報を受信することを特徴とする、請求項１又は請求項２に記載の広告配信システム。
【請求項９】
Ｈｏｍｅ  Ｌｏｃａｔｉｏｎ  Ｒｅｇｉｓｔｅｒは、加入者データとして広告配信システムを利用する項目を備えていることを特徴とする、請求項８に記載の広告配信システム。
【請求項１０】
携帯端末の位置情報は、前記携帯端末が備えるＧＰＳ機能から取得し、
前記携帯端末は、前記広告配信サーバに前記携帯端末の位置情報を送信することを特徴とする、請求項１又は請求項２に記載の広告配信システム。
【請求項１１】
前記データベースは、ユーザーの嗜好プロファイルから広告主の業種キーワードに収束させるためのシソーラスを備えていることを特徴とする、請求項１又は請求項２又は請求項４又は請求項６に記載の広告配信システム。
【請求項１２】
ネットワークを介して携帯端末に広告を配信する方法であって、
携帯端末にインストールされたエージェントは、前記携帯端末が受信又は送信したメールを解析してユーザーの嗜好プロファイルを作成し、
前記携帯端末は、前記ユーザーの嗜好プロファイルの全部又は一部をプロファイルサーバに送信し、
前記プロファイルサーバは、前記携帯端末より送信された前記ユーザーの嗜好プロファイルの全部又は一部を受信して、嗜好プロファイルを更新し、
広告配信サーバは、データベースの広告情報を参照し、前記携帯端末の位置情報と、前記プロファイルサーバから受信したユーザーの嗜好プロファイルとに基づいて、ユーザーの現在の位置及び嗜好に適した広告を決定する広告配信方法。
【請求項１３】
ネットワークを介して携帯端末に広告を配信する方法であって、
メール配信サーバにインストールされたエージェントは、前記携帯端末が受信又は送信したメールを解析してユーザーの嗜好プロファイルを作成し、
前記メール配信サーバは、前記ユーザーの嗜好プロファイルの全部又は一部をプロファイルサーバに送信し、
前記プロファイルサーバは、前記メール配信サーバより送信された前記ユーザーの嗜好プロファイルの全部又は一部を受信して、嗜好プロファイルを更新し、
広告配信サーバは、データベースの広告情報を参照し、前記携帯端末の位置情報と、前記プロファイルサーバから受信したユーザーの嗜好プロファイルとに基づいて、ユーザーの現在の位置及び嗜好に適した広告を決定する広告配信方法。
【発明の詳細な説明】
【技術分野】
【０００１】
本発明は、広告配信システム及び広告配信方法に関し、特に携帯端末に広告を配信するシステム及び方法に関する。
【背景技術】
【０００２】
関連する広告配信システムとしては、特許文献１〜特許文献６に開示されているように、携帯端末の位置情報とユーザーの嗜好を考慮し、広告を配信するシステムが公知である。しかし、ユーザーの嗜好は変化していくため、広告を配信した時点でユーザーが興味を示さない場合がある。
【０００３】
そこで、特許文献７には、ユーザーの嗜好情報を適宜、更新する構成とされた広告配信システムが開示されている。
【０００４】
ところで、特許文献８には、受信したメールから自動的にプロファイルを作成する方法が開示されている。
【特許文献１】特開２００１−２８２８３４号公報
【特許文献２】特開２００５−７８４９７号公報
【特許文献３】特開２００５−２５００８１号公報
【特許文献４】特開２００７−３４７４３号公報
【特許文献５】特開２００７−１０２０５１号公報
【特許文献６】特開２００７−２５１７４１号公報
【特許文献７】特開２００２−４９８３２号公報
【特許文献８】特開平１１−４５２８４号公報
【発明の開示】
【発明が解決しようとする課題】
【０００５】
特許文献７の広告配信システムは、ユーザーが携帯端末に登録したスケジュールに基づいて嗜好情報が更新されるため、ユーザーがスケジュールを登録し続ける必要があり、煩雑である。
【０００６】
特許文献８のプロファイルの作成方法は、受信したメールから自動的にプロファイルを作成できるが、広告配信システムに用いる技術的思想は開示されていない。
【０００７】
本発明は、ユーザーの嗜好プロファイルを容易に作成、更新することができ、ユーザーの現在の位置及び嗜好に適した広告を携帯端末に送信することができる広告配信システム及び広告配信方法を提供することを目的とする。
【課題を解決するための手段】
【０００８】
本発明の第１の広告配信システムは、携帯端末が受信又は送信したメールを解析してユーザーの嗜好プロファイルを作成するエージェントが格納された携帯端末と、前記ユーザーの嗜好プロファイルを格納するプロファイルサーバと、広告情報が格納されたデータベースと、広告を前記携帯端末にネットワークを介して送信する広告配信サーバとを備えた広告配信システムであって、前記携帯端末は、作成したユーザーの嗜好プロファイルの全部又は一部を前記プロファイルサーバに送信し、前記プロファイルサーバは、前記携帯端末より送信されたユーザーの嗜好プロファイルの全部又は一部を受信して、嗜好プロファイルを更新し、前記広告配信サーバは、前記データベースの広告情報を参照して、前記携帯端末の位置情報と、前記プロファイルサーバより取得したユーザーの嗜好プロファイルに基づいて、ユーザーの現在の位置及び嗜好に適した広告を決定する。
【０００９】
本発明の第２の広告配信システムは、携帯端末と、前記携帯端末が受信又は送信したメールを解析してユーザーの嗜好プロファイルを作成するエージェントが格納されたメール配信サーバと、前記ユーザーの嗜好プロファイルを格納するプロファイルサーバと、広告情報が格納されたデータベースと、広告を前記携帯端末にネットワークを介して送信する広告配信サーバとを備えた広告配信システムであって、前記メール配信サーバは、作成したユーザーの嗜好プロファイルの全部又は一部を前記プロファイルサーバに送信し、前記プロファイルサーバは、前記メール配信サーバより送信されたユーザーの嗜好プロファイルの全部又は一部を受信して、嗜好プロファイルを更新し、前記広告配信サーバは、前記データベースの広告情報を参照して、前記携帯端末の位置情報と、前記プロファイルサーバより取得したユーザーの嗜好プロファイルに基づいて、ユーザーの現在の位置及び嗜好に適した広告を決定する。
【００１０】
本発明の第１の広告配信方法は、ネットワークを介して携帯端末に広告を配信する方法であって、携帯端末にインストールされたエージェントは、前記携帯端末が受信又は送信したメールを解析してユーザーの嗜好プロファイルを作成し、前記携帯端末は、前記ユーザーの嗜好プロファイルの全部又は一部をプロファイルサーバに送信し、前記プロファイルサーバは、前記携帯端末より送信された前記ユーザーの嗜好プロファイルの全部又は一部を受信して、嗜好プロファイルを更新し、広告配信サーバは、データベースの広告情報を参照し、前記携帯端末の位置情報と、前記プロファイルサーバから受信したユーザーの嗜好プロファイルとに基づいて、ユーザーの現在の位置及び嗜好に適した広告を決定する。
【００１１】
本発明の第２の広告配信方法は、ネットワークを介して携帯端末に広告を配信する方法であって、メール配信サーバにインストールされたエージェントは、前記携帯端末が受信又は送信したメールを解析してユーザーの嗜好プロファイルを作成し、前記メール配信サーバは、前記ユーザーの嗜好プロファイルの全部又は一部をプロファイルサーバに送信し、前記プロファイルサーバは、前記メール配信サーバより送信された前記ユーザーの嗜好プロファイルの全部又は一部を受信して、嗜好プロファイルを更新し、広告配信サーバは、データベースの広告情報を参照し、前記携帯端末の位置情報と、前記プロファイルサーバから受信したユーザーの嗜好プロファイルとに基づいて、ユーザーの現在の位置及び嗜好に適した広告を決定する。
【発明の効果】
【００１２】
本発明によれば、ユーザーの嗜好プロファイルを容易に作成、更新することができ、ユーザーの現在の位置及び嗜好に適した広告を携帯端末に送信することができる広告配信システム及び広告配信方法を提供することができる。
【発明を実施するための最良の形態】
【００１３】
以下、本発明を適用した具体的な実施形態について、図面を参照しながら詳細に説明する。ただし、本発明が以下の実施形態に限定される訳ではない。また、説明を明確にするため、以下の記載及び図面は、適宜、簡略化されている。
【００１４】
＜実施形態１＞
本発明に係る広告配信システム及び広告配信方法の実施形態１を、図１〜図３に基づいて説明する。
【００１５】
先ず、本実施形態の広告配信システムを説明する。この広告配信システムは、携帯端末１、Ｈｏｍｅ  Ｌｏｃａｔｉｏｎ  Ｒｅｇｉｓｔｅｒ（ＨＬＲ）２、Ｓｅｒｖｉｎｇ  ＧＰＲＳ  Ｓｕｐｐｏｒｔ  Ｎｏｄｅ（ＳＧＳＮ）／Ｍｏｂｉｌｅ  Ｓｗｉｔｃｈｉｎｇ  Ｃｅｎｔｅｒ（ＭＳＣ）３、プロファイルサーバ４、データベース（ＤＢ）５、広告コンテンツサーバ６、広告配信サーバ７、メール配信サーバ８、ネットワーク９を備えている。さらに、図示は省略したが、通例の移動通信システムと同様に、無線基地局、無線ネットワーク制御装置、中継パケット交換機なども備えている。
【００１６】
携帯端末１は、携帯電話又はＰＤＡ（Ｐｅｒｓｏｎａｌ  Ｄｉｇｉｔａｌ  Ａｓｓｉｓｔａｎｔｓ）などである。この携帯端末１には、携帯端末１が受信又は送信したメールを解析してユーザーの嗜好プロファイルを作成するエージェントがインストールされている。すなわち、エージェントは、携帯端末１が受信又は送信したメールの題名又は本文に利用されているキーワードを利用して、このキーワードの出現回数をカウントし、最も回数が多いキーワードがユーザーにとって関心の高いものであると判断し、ユーザーの現在の嗜好プロファイルとする。ユーザーが受信又は送信したメールを解析してユーザーの嗜好プロファイルを作成するので、ユーザーの嗜好プロファイルを容易に作成して更新することができる。
【００１７】
なお、ユーザーの嗜好プロファイルは、１メールごとに作成し更新しても良いし、設定された数のメールごとに作成し更新しても良い。
【００１８】
携帯端末１は、前記作成した嗜好プロファイルをプロファイルサーバ４に送信する。このとき、携帯端末１は、作成した嗜好プロファイルの全部をプロファイルサーバ４に送信しても良いし、変更された嗜好プロファイルのみ（即ち、嗜好プロファイルの一部）をプロファイルサーバ４に送信しても良い。
【００１９】
無線基地局、無線ネットワーク制御装置、ＨＬＲ２、ＳＧＳＮ／ＭＳＣ３、中継パケット交換機、メール配信サーバ８、ネットワーク９は、通例の移動通信システムと略同様の構成とされているので、説明を省略する。ここで、ＨＬＲ２には、加入者データとして広告配信システムを利用する項目を備えていることが好ましい。ユーザーが広告配信システムを利用することを登録することができるので、広告の配信を望まない人へ広告を配信して、広告主の印象が悪化することを軽減することができる。
【００２０】
プロファイルサーバ４は、携帯端末１のエージェントが作成したユーザーの嗜好プロファイルの全部又は一部を受信して格納する手段である。このプロファイルサーバ４は、携帯端末１のエージェントが新たにユーザーの嗜好プロファイルを作成すると、古い嗜好プロファイルを新しい嗜好プロファイルに更新する。そのため、プロファイルサーバ４には、常にユーザーの現在の嗜好プロファイルが格納されているのである。
【００２１】
データベース５は、広告情報を格納する手段である。ここでの広告情報は、図２に示すように、位置情報と、広告主の業種キーワードとが関連付けられており、業種キーワードは業種に関連するキーワードと広告主の会社名とが関連付けられている。
【００２２】
そのため、データベース５は、ユーザーの嗜好プロファイルから広告主の業種キーワードに収束させるためのシソーラスを備えていることが好ましい。シソーラスとは、同義語、類似語の関係によって単語を分類したものである。図２を用いて説明すると、例えば、ユーザーの嗜好プロファイルとして「パスタ」というキーワードを得たとする。「パスタ」というキーワードがデータベース５上に存在しない場合は、シソーラスを参照して「パスタ」の同義語のなかでデータベース５上にキーワードとして存在する語を選択する。その後、シソーラスから得たキーワードを利用して再度、データベース５を参照する。ここでの例では、「パスタ」の同義語として「イタリア料理」が設定されていればデータベース５からキーワードを選択できる。このようにデータベース５上にキーワードがない場合でも、シソーラスを利用することで、データベース５に設定しているキーワードに収束させることが可能である。なお、データベース５は、位置情報ごとに複数備えていることが好ましい。
【００２３】
広告配信サーバ７は、広告を携帯端末１にネットワーク９を介して送信する手段である。この広告配信サーバ７は、データベース５の広告情報を参照し、携帯端末１からの位置情報と、プロファイルサーバ４から受信したユーザーの嗜好プロファイルとに基づいて、ユーザーの現在の位置及び嗜好に適した広告を決定する。その後、広告配信サーバ７は、広告コンテンツを管理している広告コンテンツサーバ６から広告コンテンツを取得し、携帯端末１にネットワーク９を介して送信する。広告配信サーバ７は、ユーザーの現在位置と、常に新しい嗜好プロファイルとに基づいて広告を決定するので、ユーザーの現在の位置及び嗜好に適した広告を携帯端末１に送信することができる。
【００２４】
携帯端末１の位置情報は、ＳＧＳＮ／ＭＳＣ３が管理している位置情報であるＲＡ（Ｒｏｕｔｉｎｇ  Ａｒｅａ）とＬＡ（Ｌｏｃａｔｉｏｎ  Ａｒｅａ）とに基づいて取得し、ＳＧＳＮ／ＭＳＣ３は、広告配信サーバ７に携帯端末１の位置情報を送信する。これにより、広告配信サーバ７は、常に新しい携帯端末１の位置情報を得ることができる。
【００２５】
次に、本実施形態の広告配信方法を、図３に示したシーケンス図に沿って説明する。
【００２６】
先ず、ユーザーが携帯端末１にエージェントをインストールする。エージェントをインストールする際、携帯端末１はプロファイルサーバ４のＵＲＬを取得する。その後、携帯端末１は、広告配信システムを利用すること、及びプロファイルサーバ４のＵＲＬをＨＬＲ２に送信する（Ｓ１００）。
【００２７】
携帯端末１のエージェントが、ユーザーの嗜好プロファイルを作成すると、携帯端末１はエージェントをインストールした際に取得したプロファイルサーバ４のＵＲＬにユーザーの嗜好プロファイルを送信する（Ｓ２００）。さらに携帯端末１のエージェントは、逐次にユーザーの嗜好プロファイルを作成して前記携帯端末１がプロファイルサーバ４に送信し続け、プロファイルサーバ４はユーザーの嗜好プロファイルを更新し続ける（Ｓ３００）。すなわち、プロファイルサーバ４がユーザーの嗜好プロファイルを受信して更新し続ける工程は、図示例の限りでなく、断続的又は間欠的に行われる。
【００２８】
ＨＬＲ２には、予め携帯端末１のユーザーの加入者データが格納されている。加入者データとしては、広告配信システムを利用すること、及びプロファイルサーバ４のＵＲＬや携帯端末１の位置登録エリアなどである。この加入者データはＨＬＲ２からＳＧＳＮ／ＭＳＣ３にコピーされる（Ｓ４００）。
【００２９】
広告配信サーバ７は、ＳＧＳＮ／ＭＳＣ３に対して携帯端末１の位置情報を要求する。ＳＧＳＮ／ＭＳＣ３は、逐次に携帯端末１から取得する位置情報からユーザーの現在位置を判断し、ユーザーの加入者データと携帯端末１の位置情報を広告配信サーバ７に送信する（Ｓ５００）。なお、広告配信サーバ７がＳＧＳＮ／ＭＳＣ３に対して携帯端末１の位置情報を要求するタイミングは、断続的又は間欠的に行われる。
【００３０】
広告配信サーバ７は、ユーザーの加入者データと携帯端末１の位置情報をＳＧＳＮ／ＭＳＣ３から受信すると、プロファイルサーバ４に対してユーザーの嗜好プロファイルを要求する。プロファイルサーバ４は、ユーザーの嗜好プロファイルを広告配信サーバ７に送信する（Ｓ６００）。プロファイルサーバ４は、上述するように携帯端末１からユーザーの嗜好プロファイルを逐次に受信して更新し続けている。
【００３１】
広告配信サーバ７は、データベース５に対して広告情報を要求する。データベース５は、広告情報を広告配信サーバ７に送信する（Ｓ７００）。広告配信サーバ７は、受信した広告情報を参照し、携帯端末１の位置情報と、ユーザーの嗜好プロファイルとに基づいて、ユーザーの現在の位置及び嗜好に適した広告を決定する。一例を挙げると、データベース５の広告情報は、図２に示すように、位置情報として「表参道」、「渋谷」、「箱根」が設定されており、それぞれに広告主の業種に関連するキーワードとして「イタリア料理」、「ファーストフード」、「温泉」が設定されている。ユーザーの位置情報が表参道で、ユーザーの嗜好プロファイルから嗜好を表すキーワードが「イタリア料理」である場合、イタリア料理の広告を送信したい会社名が複数ある。ここでは、イタリア料理店Ａ、Ｂ、Ｃの３つである。イタリア料理店Ａ、Ｂ、Ｃ中からどのイタリア料理店の広告を送信するかは、確率によって決まる。この例ではイタリア料理店Ａが最も確率が高いため、イタリア料理店Ａが送信されやすい。この確率は、データベース５を管理する管理者が人為的に設定することができる。
【００３２】
広告配信サーバ７は、決定した広告に基づいて広告コンテンツサーバ６を参照し、広告コンテンツサーバ６に対して広告コンテンツを要求する。そして、広告コンテンツサーバ６は、広告コンテンツを広告配信サーバ７に送信する（Ｓ８００）。
【００３３】
広告配信サーバ７は、ＳＧＳＮ／ＭＳＣ３から取得した加入者データを利用して、受信した広告コンテンツを携帯端末１にネットワーク９を介して送信する（Ｓ９００）。上述した広告配信方法は、携帯端末が受信又は送信したメールを解析して、ユーザーの嗜好プロファイルを作成するので、ユーザーの嗜好プロファイルを容易に作成、更新することができる。また、常に更新されているユーザーの嗜好プロファイルと携帯端末１の位置情報とに基づいて、携帯端末１に送信する広告を決定するので、ユーザーの現在の位置及び嗜好に適した広告を携帯端末に送信することができる。
【００３４】
＜実施形態２＞
上述した実施形態は、携帯端末１にエージェントをインストールしたが、この限りでない。メール配信サーバ８にエージェントをインストールしても、略同様に実施できる。
【００３５】
この場合、メール配信サーバ８は、メール配信サーバ８を介して受信又は送信されるメールを解析してユーザーの嗜好プロファイルを作成する。本実施形態の広告配信システム及び広告配信方法も、携帯端末が受信又は送信したメールを解析して、ユーザーの嗜好プロファイルを作成するので、ユーザーの嗜好プロファイルを容易に作成、更新することができる。また、常に更新されているユーザーの嗜好プロファイルと携帯端末１の位置情報とに基づいて、携帯端末１に送信する広告を決定するので、ユーザーの現在の位置及び嗜好に適した広告を携帯端末に送信することができる。
【００３６】
＜実施形態３＞
上述した実施形態は、広告配信サーバ７がＳＧＳＮ／ＭＳＣ３に対して携帯端末の位置情報を要求し、ＳＧＳＮ／ＭＳＣ３は、広告配信サーバ７の要求に応じて、携帯端末１の位置情報を送信しているが、この限りでない。
【００３７】
ＳＧＳＮ／ＭＳＣ３は、ＨＬＲ２に携帯端末１の位置情報を送信し、広告配信サーバ７が、ＨＬＲ２に対して周期的に携帯端末１の位置情報に変化がないかを問い合わせ、変化している場合にＨＬＲ２から受信する構成としても良い。
【００３８】
＜実施形態４＞
上述した実施形態は、ＳＧＳＮ／ＭＳＣ３が取得した携帯端末１の位置情報に基づいて、携帯端末１の現在の位置情報を取得しているが、この限りでない。
【００３９】
携帯端末１がＧＰＳ機能を備えている場合は、ＧＰＳ機能から携帯端末１の位置情報を取得し、携帯端末１が広告配信サーバ７に携帯端末１の位置情報を送信しても良い。
【００４０】
＜実施形態５＞
上述した実施形態は、広告コンテンツサーバ６と広告配信サーバ７とを別構成としたが、図４に示すように、広告配信サーバ７が広告コンテンツサーバを兼ね備えた構成でも良い。
【図面の簡単な説明】
【００４１】
【図１】本発明の実施形態１の広告配信システムのブロック図である。
【図２】位置情報と業種キーワードとを関連付けた広告情報の図である。
【図３】本発明の実施形態１の広告配信方法のシーケンス図である。
【図４】本発明の実施形態５の広告配信システムのブロック図である。
【符号の説明】
【００４２】
１  携帯端末
２  ＨＬＲ
３  ＳＧＳＮ／ＭＳＣ
４  プロファイルサーバ
５  データベース
６  広告コンテンツサーバ
７  広告配信サーバ
８  メール配信サーバ
９  ネットワーク
【図１】
2009187176.tif 000003
【図２】
2009187176.tif 000004
【図３】
2009187176.tif 000005
【図４】
2009187176.tif 000006